(57)【要約】【課題】本発明は、極めて商品価値の高い画期的な降雪量測定装置並びに降雪量測定装置を具備した融雪装置を提供することを目的とする。【解決手段】所定面積を有する雪受け部１に降った雪が融けた雪融け水を滴下部２から滴下させることで降雪量を測定し得るように構成された降雪量測定装置であって、前記雪受け部１の表面所定位置に前記滴下部２に連設する凹状部３を設け、この凹状部３へ前記雪受け部１に降った雪を集め誘導する誘導可動部４を前記雪受け部１に移動自在に設けたものである。【選択図】        図１
2004309242.tif 000002
【特許請求の範囲】
【請求項１】
所定面積を有する雪受け部に降った雪が融けた雪融け水を滴下部から滴下させることで降雪量を測定し得るように構成された降雪量測定装置であって、前記雪受け部の表面所定位置に前記滴下部に連設する凹状部を設け、この凹状部へ前記雪受け部に降った雪を集め誘導する誘導可動部を前記雪受け部に移動自在に設けたことを特徴とする降雪量測定装置。
【請求項２】
前記雪受け部の表面に対して添設状態で移動する掻き体を前記雪受け部に設けて前記誘導可動部を構成したことを特徴とする請求項１記載の降雪量測定装置。
【請求項３】
前記雪受け部の表面を平面視円形状の水平面とし、この雪受け部の表面に対して添設状態で移動する掻き体を前記雪受け部の中央位置に水平回動自在に設けて前記誘導可動部を構成したことを特徴とする請求項１，２のいずれか１項に記載の降雪量測定装置。
【請求項４】
前記凹状部を前記雪受け部の表面所定位置にして前記掻き体が移動通過する位置に設けて、この凹状部へ前記雪受け部に降った雪を掻き集めて誘導し得るように前記誘導可動部を構成したことを特徴とする請求項２，３のいずれか１項に記載の降雪量測定装置。
【請求項５】
前記凹状部にヒーター部を設けたことを特徴とする請求項１〜４のいずれか１項に記載の降雪量測定装置。
【請求項６】
前記請求項１〜５のいずれか１項に記載の降雪量測定装置を具備することを特徴とする降雪量測定装置を具備した融雪装置。
【発明の詳細な説明】
【０００１】
【発明の属する技術分野】
本発明は、降雪量測定装置並びに降雪量測定装置を具備した融雪装置に関するものである。
【０００２】
【従来の技術及び発明が解決しようとする課題】
従来から、所謂雪国と称される比較的降雪量の多い地域では、道路や駐車場に地下水を上げて散水消雪する融雪装置が設置されており、この融雪装置は、円滑な交通を確保し、除雪作業の負担を大幅に軽減し得るものであり、今や欠かすことのできない極めて重要なものとされているが、その反面、この地下水を取水し過ぎることで起きる地盤沈下が一つの社会問題となっている（消雪が完了した後も散水が継続されているなど、必要以上の量の散水が行われている場合が多い。）。
【０００３】
そこで、従来においても、この融雪装置における無駄な散水を防止する為、降雪量に応じて散水が行われるように融雪装置を制御すべく、この融雪装置の制御部における制御の基になる情報としての降雪量を測定するための降雪量測定装置（以下、従来例という。）が提案されている。
【０００４】
この従来例は、図４に図示したように所定面積を有するホッパー形状の雪受け部３１に降った雪を融かして水に変換し、この雪融け水を滴下部３２から滴下させて水滴の量（数）をパルス検出部（図示省略）でパルス検出することで降雪量を測定し得るように構成されたものである。尚、雪受け部３１には該雪受け部３１の表面３１ａに降った雪を融雪する為のヒーター部（図示省略）が設けられている。
【０００５】
この従来例から得られた情報（降雪量）を基に、この降雪量に合った散水が行われるように融雪装置を制御するものであり、例えば単に赤外線センサーで雪が降っているか否かを検知するだけのその他の装置に比し、降雪量を基に散水量を決定する構造故に、より精度の高い散水量の制御が行えると期待される。
【０００６】
ところが、本出願人は、この従来例について実際に試してみたところ、例えば細かい雪の場合、雪受け部３１に降った雪が直ちにヒーター部の熱によって蒸発したり、雪融け水Ｗの粒が微細で検出できない（雪受け部３１の表面３１ａを流れ落ちない）ことが多々あり、また、仮に粒の大きな雪の場合であっても、やはり表面張力により雪融け水Ｗがスムーズに雪受け部３１の表面３１ａを流れ落ちないことがあるなど、未だ測定精度が低く、この装置本来の有用な機能を活かせていないことを確認している。
【０００７】
本出願人は、上述した問題点に着目し、従来にない画期的な作用効果を発揮する降雪量測定装置並びに降雪量測定装置を具備した融雪装置を開発した。
【０００８】
【課題を解決するための手段】
添付図面を参照して本発明の要旨を説明する。
【０００９】
所定面積を有する雪受け部１に降った雪が融けた雪融け水を滴下部２から滴下させることで降雪量を測定し得るように構成された降雪量測定装置であって、前記雪受け部１の表面所定位置に前記滴下部２に連設する凹状部３を設け、この凹状部３へ前記雪受け部１に降った雪を集め誘導する誘導可動部４を前記雪受け部１に移動自在に設けたことを特徴とする降雪量測定装置に係るものである。
【００１０】
また、前記雪受け部１の表面１ａに対して添設状態で移動する掻き体５を前記雪受け部１に設けて前記誘導可動部４を構成したことを特徴とする請求項１記載の降雪量測定装置に係るものである。
【００１１】
また、前記雪受け部１の表面１ａを平面視円形状の水平面とし、この雪受け部１の表面１ａに対して添設状態で移動する掻き体５を前記雪受け部１の中央位置に水平回動自在に設けて前記誘導可動部４を構成したことを特徴とする請求項１，２のいずれか１項に記載の降雪量測定装置に係るものである。
【００１２】
また、前記凹状部３を前記雪受け部１の表面所定位置にして前記掻き体５が移動通過する位置に設けて、この凹状部３へ前記雪受け部１に降った雪を掻き集めて誘導し得るように前記誘導可動部４を構成したことを特徴とする請求項２，３のいずれか１項に記載の降雪量測定装置に係るものである。
【００１３】
また、前記凹状部３にヒーター部６を設けたことを特徴とする請求項１〜４のいずれか１項に記載の降雪量測定装置に係るものである。
【００１４】
また、前記請求項１〜５のいずれか１項に記載の降雪量測定装置を具備することを特徴とする降雪量測定装置を具備した融雪装置に係るものである。
【００１５】
【発明の実施の形態】
好適と考える本発明の実施の形態（発明をどのように実施するか）を、図面に基づいてその作用効果を示して簡単に説明する。
【００１６】
本発明は、例えば雪受け部１の表面１ａに降った雪は誘導可動部４により凹状部３へ集め誘導され、この凹状部３に連設される摘下部２から雪融け水を滴下させることで降雪量を測定することになる。
【００１７】
従って、前述した従来例と異なり、雪受け部１に降った雪を該雪受け部１の表面所定位置に設けた凹状部３に誘導可動部４により積極的に集め、この凹状部３を介して確実に摘下部２から雪融け水を滴下させることができることになり、よって、測定精度の低下の原因となる雪受け部１に雪が留まることを確実に防止できるから、極めて精度の高い降雪量の測定が行えることになる。
【００１８】
【実施例】
本発明の具体的な実施例について図面に基づいて説明する。
【００１９】
本実施例は、所定面積を有する雪受け部１に降った雪を融かして水に変換し、この雪融け水を滴下部２から滴下させてパルス検出することで降雪量を測定し得るように構成されたものである。
【００２０】
尚、本実施例では、融雪装置の制御部における制御の基になる情報としての降雪量を測定するための降雪量測定装置として構成したが、降雪量を測定したい装置であれば融雪装置に限られないのは勿論であり、また、本装置の接続先となる融雪装置として散水タイプの融雪装置に限らず、ヒータータイプの融雪装置など本実施例の特性を発揮し得る構成であれば適宜採用し得るものである。
【００２１】
具体的には、図１に図示したように下部に支承部７が設けられ、上部にレーザー送受信器８ａと反射ミラー８ｂとから成り、雪か雨かを感知する雪感知部８が設けられた有底筒状の本体９に雪受け部１が設けられている。
【００２２】
この雪受け部１は、図１，２に図示したように本体９内にして上方開口部から所定深さ位置に水平板状部１０を架設状態に形成して構成されており、この水平板状部１０に係る平面視円形状の表面が雪受け面１ａとなる。この雪受け面１ａの面積は後述する滴下部２及びパルス検出部１１（測定部）における測定規格に合わせて適宜設定される。
【００２３】
また、雪受け部１は、その雪受け面１ａに降った雪を後述する凹状部３に誘導する誘導可動部４が設けられている。尚、本発明に係る誘導可動部４で誘導される雪とは、水分を多く含んだほぼ水状態の雪や雪受け面１ａに付いた際に後述するヒーター部６により融けた水滴、自然に融けた水滴など雪感知部８で雪と感知されたものであれば広く包含するものである。
【００２４】
誘導可動部４は、雪受け部１の雪受け面１ａに対して添設状態で移動する平板状の掻き体５を前記雪受け部１の中央位置に水平回動自在に設けて構成されている。
【００２５】
具体的には、雪受け部１を構成する水平板状部１０の表面側中央部に駆動モーター１２の回動軸１２ａを突設し、この回動軸１２ａに平板状の掻き体５を設けて構成されている。この掻き体５の下縁は雪受け面１ａに対して平行となる平行縁に形成されている。駆動モーター１２は前述した雪感知部８で降雪を感知した際に作動するように設定されている。
【００２６】
従って、駆動モーター１２の作動により掻き体５は雪受け面１ａに対して添設状態で水平回動することになり、凹状部３の上部開口部を通過することになる。
【００２７】
また、掻き体５は、図２に図示したように平面視凹湾曲形状に形成されており、この湾曲凹部５ａを設けることで掻いた雪を凹状部３に誘導し易いように構成されている。
【００２８】
また、雪受け部１は、その雪受け面１ａの所定位置に凹状部３が設けられている。
【００２９】
この凹状部３は、図１，２に図示したように下端程径小となる逆円錐形状に陥没形成されており、その開口部は雪受け面１ａの面積よりも狭い面積となるように構成されている。
【００３０】
また、凹状部３は、その外側面に温度調節機能付きのヒーター部６が設けられている。
【００３１】
従って、前述した誘導可動部４によって凹状部３内に誘導された雪はヒーター部６の熱によって融かされることになる。
【００３２】
また、凹状部３の下部には滴下部２が連設されている。
【００３３】
滴下部２は、図１に図示したように凹状部３の下方開口部に筒状の水溜り部１３を垂設し、この水溜り部１３に針部材１４を設けて構成されている。
【００３４】
この針部材１４は、水溜り部１３の底部を貫通するように設けられ、水溜り部１３内に溜まった雪融け水が針部材１４を伝って外部（外下部）に流れ出し、該針部材１４の下端部から滴下するように構成されており、この水溜り部１３に溜まった雪融け水の量に応じて針部材１４から滴下する所定時間の滴下量が変化するように構成されている。
【００３５】
この滴下部２から滴下される雪融け水は、該滴下部２の下方位置に設けた測定部としてのパルス検出部１１（詳細図省略）によってパルス検出されて降雪量が測定されることになる。尚、滴下部２の下方位置に設けられる雪融け水を滴下することで降雪量を測定する検出方法としては本実施例に限らず、本実施例の特性を発揮し得る構成であれば適宜採用し得るものである。
【００３６】
また、本実施例は、図３に図示したように本体９の上方開口縁近傍位置に平面視十字状の区切り板材１５が架設状態に設けられている。
【００３７】
この区切り板材１５は、仮に雪受け部１に多くの雪が積もったとしても、この区切り板材１５の付近の雪と誘導可動部４の付近の雪と切断する機能を発揮することになる。
【００３８】
符号１６はガラス管、１７は温度調節機能付き凍結防止用ヒーター、１８は水滴受け、１９は水抜き部、２０は配線口である。
【００３９】
以上の構成からなる降雪量測定装置を使用した降雪量の測定方法について説明する。
【００４０】
雪感知部８で降雪を感知した際、駆動モーター１２は作動し、掻き体５が雪受け部１の雪受け面１ａに降った雪を掻き集めながら水平回動する。
【００４１】
続いて、この掻き体５で掻き集められた雪は、該掻き体５が凹状部３の上方開口部を通過することで該凹状部３内に誘導（落下）される。
【００４２】
続いて、凹状部３内に誘導された雪はヒーター部６の熱によって融雪され、この雪融け水は摘下部２に係る水溜り部１３に溜まる。
【００４３】
続いて、水溜り部１３に溜まった雪融け水は針部材１４を伝って滴下し、パルス検出部１１によってパルス検出され、降雪量が測定されることになる。
【００４４】
本実施例は上述のように構成したから、従来例と異なり、雪受け部１に降った雪を該雪受け部１の表面所定位置に設けた凹状部３に積極的に掻き集め誘導し、この凹状部３を介して確実に摘下部２から雪融け水を滴下させることができることになり、測定精度の低下の原因となる雪受け部１に雪が留まることが確実に防止することができるなど極めて精度の高い降雪量の測定が行えることになる。
【００４５】
また、本実施例は、雪受け部１の表面１ａを平面視円形状の水平面とし、この雪受け部１の表面１ａに対して添設状態で移動する掻き体５を雪受け部１の中央位置に水平回動自在に設けて誘導可動部４を構成したから、掻き集め作業が良好に行われることになる。
【００４６】
また、本実施例は、凹状部３にヒーター部６を設けたから、広い面積のところで融かしてから掻き集めるのではなく、この凹状部３に集めた雪を融かすことになるから、このヒーター部６によって融けた雪融け水は確実に摘下部２の水溜り部１３に溜められることになる。
【００４７】
尚、本発明は、本実施例に限られるものではなく、各構成要件の具体的構成は適宜設計し得るものである。
【００４８】
【発明の効果】
本発明は上述のように構成したから、極めて精度の高い降雪量の測定が行える画期的な降雪量測定装置となる。
【００４９】
また、請求項２記載の発明においては、雪受け部の表面に対して添設状態で移動する掻き体を雪受け部に設けて誘導可動部を構成したから、雪受け部に降った雪を確実に誘導することができることになるなど画期的な降雪量測定装置となる。
【００５０】
また、請求項３記載の発明においては、雪受け部の表面を平面視円形状の水平面とし、この雪受け部の表面に対して添設状態で移動する掻き体を雪受け部の中央位置に水平回動自在に設けて誘導可動部を構成したから、より一層雪受け部に降った雪の掻き集め作業が良好に行われることになるなど画期的な降雪量測定装置となる。
【００５１】
また、請求項４記載の発明においては、凹状部を雪受け部の表面所定位置にして掻き体が移動通過する位置に設けて、この凹状部へ雪受け部に降った雪を掻き集めて誘導し得るように誘導可動部４を構成したから、雪受け部に降った雪を確実に凹状部へ誘導することができることになるなど画期的な降雪量測定装置となる。
【００５２】
また、請求項５記載の発明においては、凹状部にヒーター部を設けたから、この凹状部に集めた雪を融かすことになるから、このヒーター部によって融けた雪融け水は確実に摘下部の水溜り部に溜められることになるなど画期的な降雪量測定装置となる。
【００５３】
また、請求項６記載の発明においては、極めて精度の高い降雪量の測定が行える降雪量測定装置を具備する画期的な融雪装置となる。
【図面の簡単な説明】
【図１】本実施例を説明する正断面図である。
【図２】本実施例を示す平面図である。
【図３】本実施例を示す斜視図である。
【図４】従来例を説明する正断面図である。
【符号の説明】
１  雪受け部
１ａ  表面
２  滴下部
３  凹状部
４  誘導可動部
５  掻き体
６  ヒーター部
【図１】
2004309242.tif 000003
【図２】
2004309242.tif 000004
【図３】
2004309242.tif 000005
【図４】
2004309242.tif 000006